(57)【要約】【課題】  浮き上がりを防止することが可能なバッテリーターミナル用絶縁カバーを提供する。【解決手段】  バッテリーターミナル用絶縁カバー１１は、バッテリーのバッテリーポストに巻着する環状部３７を有するバッテリーターミナル１２と、バッテリーターミナル１２の環状部３７に連続する電線接続部３８に接続された複数の接続端子１３〜１５とを覆うものであって、カバー内部には、電線接続部３８又は接続端子１４に嵌合する係止用の嵌合係止部２５を有する。また、カバー内部には、弾性を有しカバー取り外し方向の移動に対して環状部３７に引っ掛かる浮き止め係止部２６を一体に形成する。さらに、カバー内部には、環状部３７に対して弾性接触する弾性保持リブ２７を一体に形成する。【選択図】    図１
2006040797.tif 000002
【特許請求の範囲】
【請求項１】
バッテリーのバッテリーポストに巻着する環状部を有するバッテリーターミナルと、該バッテリーターミナルの前記環状部に連続する電線接続部に接続された一又は複数の接続端子と、を覆うバッテリーターミナル用絶縁カバーであって、カバー内部には前記電線接続部又は前記接続端子に嵌合する係止用の嵌合係止部を有するバッテリーターミナル用絶縁カバーにおいて、
前記カバー内部に、弾性を有しカバー取り外し方向の移動に対して前記環状部に引っ掛かる浮き止め係止部を一体に形成する
ことを特徴とするバッテリーターミナル用絶縁カバー。
【請求項２】
請求項１に記載のバッテリーターミナル用絶縁カバーにおいて、
前記カバー内部に、前記環状部に対して弾性接触する弾性保持リブを更に一体に形成する
ことを特徴とするバッテリーターミナル用絶縁カバー。
【発明の詳細な説明】
【技術分野】
【０００１】
本発明は、バッテリーターミナルを覆うために設けられるバッテリーターミナル用絶縁カバーに関する。
【背景技術】
【０００２】
バッテリーの電力を供給するために、バッテリーのバッテリーポストには、図９に示されるような、導電性を有するバッテリーターミナル１が取り付けられている。バッテリーターミナル１には、給電用の電線２が接続端子３を介して接続されている。絶縁カバー４は、バッテリーターミナル１とそのバッテリーターミナル１に接続された接続端子３とを覆って短絡を防止することができるように形成されている。図９に示される絶縁カバー４は、上部カバー５と側部カバー６とを有しており、上部カバー５が開閉自在となるように形成されている（例えば特許文献１参照）。
【特許文献１】特開２００１−３３２２４２号公報  （第３頁、第１図）
【発明の開示】
【発明が解決しようとする課題】
【０００３】
ところで、上記従来技術にあっては、上部カバー５がバッテリーターミナル１を単に覆っているだけの構造になっている。すなわち、上部カバー５は、バッテリーターミナル１の周囲に対して常に接触し保持することができる部分を持たない構造になっている。従って、振動等の要因で上部カバー５がバッテリーターミナル１から浮き上がってしまうという問題点を有する。上部カバー５の浮き上がりが生じると、本来の機能を満足することができないのは勿論のこと、異音の発生も懸念される。
【０００４】
対策案としては、バッテリーターミナル１の周囲に接触する帯板形状のリブを上部カバー５の内部に複数設けることが考えられる。しかしながら、その帯板形状のリブの形成において、リブの突出高さを高く形成してしまうと、バッテリーターミナル１を覆う際にリブをかじって機能を低下させたり、バッテリーターミナル１を覆うことができなかったりするという問題点を有する。一方、リブの突出高さを低く形成してしまうと、リブとバッテリーターミナル１との間に間隙を生じさせて浮き上がりを抑えることができないという問題点を有する。従って、単なるリブでは対策にならないことを突き止めている。
【０００５】
本発明は、上述した事情に鑑みてなされたもので、浮き上がりを防止することが可能なバッテリーターミナル用絶縁カバーを提供することを課題とする。
【課題を解決するための手段】
【０００６】
上記課題を解決するためになされた請求項１記載の本発明のバッテリーターミナル用絶縁カバーは、バッテリーのバッテリーポストに巻着する環状部を有するバッテリーターミナルと、該バッテリーターミナルの前記環状部に連続する電線接続部に接続された一又は複数の接続端子と、を覆うバッテリーターミナル用絶縁カバーであって、カバー内部には前記電線接続部又は前記接続端子に嵌合する係止用の嵌合係止部を有するバッテリーターミナル用絶縁カバーにおいて、前記カバー内部に、弾性を有しカバー取り外し方向の移動に対して前記環状部に引っ掛かる浮き止め係止部を一体に形成することを特徴としている。
【０００７】
このような特徴を有する本発明によれば、絶縁カバーによってバッテリーターミナルを覆うと、嵌合係止部が電線接続部又は接続端子に嵌合して絶縁カバーは係止状態になる。また、浮き止め係止部が環状部に当接して弾性的に撓んだ後に環状部に引っ掛かる。仮に、振動等のガタツキなどによってカバー取り外し方向に絶縁カバーが移動しようとすると、浮き止め係止部は環状部に引っ掛かることから、絶縁カバーの浮き上がりが防止される。
【０００８】
請求項２記載の本発明のバッテリーターミナル用絶縁カバーは、請求項１に記載のバッテリーターミナル用絶縁カバーにおいて、前記カバー内部に、前記環状部に対して弾性接触する弾性保持リブを更に一体に形成することを特徴としている。
【０００９】
このような特徴を有する本発明によれば、弾性保持リブは、バッテリーターミナルの環状部に対して弾性接触し、これによって絶縁カバーのガタツキが抑えられる。弾性保持リブは、環状部に対して弾性接触することから、ある程度の寸法のバラツキを吸収する。
【発明の効果】
【００１０】
請求項１に記載された本発明によれば、絶縁カバーの浮き上がりを防止することができるという効果を奏する。また、浮き上がりを防止することによって、本来の機能を満足するとともに、異音の発生を防止することができるという効果を奏する。
【００１１】
請求項２に記載された本発明によれば、ガタツキを抑えることができるという効果を奏する。従って、より一層、絶縁カバーの浮き上がりを防止することができるという効果を奏する。
【発明を実施するための最良の形態】
【００１２】
以下、図面を参照しながら説明する。
図１は本発明のバッテリーターミナル用絶縁カバーの一実施の形態を示すバッテリーターミナル及び絶縁カバーの斜視図である。また、図２は図１のＣ視方向の斜視図、図３は絶縁カバーの斜視図、図４は図３のＣ視方向の斜視図、図５は図３のＡ−Ａ線断面図、図６は図３のＢ−Ｂ線断面図、図７は上方から見たバッテリーターミナルの斜視図、図８は下方から見たバッテリーターミナルの斜視図である。
【００１３】
図１及び図２において、引用符号１１は本発明のバッテリーターミナル用絶縁カバー（以下、絶縁カバーと略記する）を示している。絶縁カバー１１は、絶縁性を有する合成樹脂材料の射出成形により形成されている。絶縁カバー１１は、バッテリーターミナル１２と、そのバッテリーターミナル１２に接続された複数の接続端子１３〜１５（図７参照）とを覆って短絡を防止することができるように形成されている。また、本形態の絶縁カバー１１は、接続端子１３〜１５を差し込んだ状態で取り付けられた電流センサ１６も覆うことができるように形成されている。以下、図１ないし図８を参照しながら上記各構成部材について説明する。
【００１４】
上記絶縁カバー１１は、絶縁カバー本体１７と、絶縁カバー本体１７から引き出された電線（図示省略）に取り付けられる電線取付部１８と、絶縁カバー本体１７及び電線取付部１８を連結する可撓性の可撓連結部１９と、を備えて構成されている。絶縁カバー本体１７は、天井壁２０と周側壁２１とを有する箱形形状に形成されている。周側壁２１には、引き出し口２２と、側壁延長部２３とが形成されている。引き出し口２２は、電流センサ１６を引き出すために形成されている。側壁延長部２３は、電線（図示省略）の引き出し側に形成されている。側壁延長部２３の縁部には、可撓連結部１９の一端が連成されている。その可撓連結部１９の他端には、電線取付部１８が連成されている。
【００１５】
絶縁カバー本体１７の内部には、複数の位置決め部２４と、一対の嵌合係止部２５と、浮き止め係止部２６と、弾性保持リブ２７とが形成されている。位置決め部２４は、バッテリーターミナル１２や電流センサ１６等が当接可能となる部分であって、絶縁カバー１１とバッテリーターミナル１２との位置関係を保つことを目的として形成されている。
【００１６】
嵌合係止部２５は、絶縁カバー本体１７を係止するための部分であって、本形態においては、バッテリーターミナル１２に接続された接続端子１４の後述する突出片対向部４６に対して引っ掛かるように形成されている（バッテリーターミナル１２における後述する電線接続部３８に引っ掛かるようにしてもよい。本形態においては、電流センサ１６の存在によって係止スペースの確保が困難であることから、後述する突出片対向部４６に対して引っ掛かるように設定されている）。嵌合係止部２５は、可撓性を有する片持ち形状の係止用突起として形成されている。
【００１７】
浮き止め係止部２６は、バッテリーターミナル１２における後述する環状部３７の締め付け部４０に対して引っ掛かるように形成されている。浮き止め係止部２６は、可撓性を有する片持ち形状の突起として形成されている。浮き止め係止部２６は、嵌合係止部２５ほどの係止力を持たせる必要性はなく、絶縁カバー本体１７の浮き上がり（カバー取り外し方向の移動）を抑えることができればよいものとする。
【００１８】
浮き止め係止部２６の構成において、バッテリーターミナル１２を絶縁カバー本体１７で覆うと、浮き止め係止部２６が後述する環状部３７の締め付け部４０に当接する。そして、その後、締め付け部４０に対して浮き止め係止部２６の先端が滑りながら案内される。この時、浮き止め係止部２６は弾性的に撓むようになる。浮き止め係止部２６が撓むと、その浮き止め係止部２６の先端は締め付け部４０を乗り越えて、そして、締め付け部４０の裏側に引っ掛かる。絶縁カバー本体１７は、その内部に後述する環状部３７が恰も差し込まれた状態になる。絶縁カバー本体１７は、浮き止め係止部２６の引っ掛かりにより浮き上がりが防止される。
【００１９】
弾性保持リブ２７は、絶縁カバー本体１７のガタツキを抑えるための部分であって、バッテリーターミナル１２における後述する環状部３７の側部４１に対して弾性接触するように形成されている。弾性保持リブ２７は、本形態において、嵌合係止部２５から離れた位置に配置形成されている（嵌合係止部２５から離れるほどガタツキが大きくなるため）。弾性保持リブ２７は、周側壁２１（カバー壁）から突出する不動壁２８と、不動壁２８を囲む可動保持壁２９とを有している（形状は一例であるものとする。絶縁カバー本体１７のガタツキを抑えることができれば、弾性を有する他の形状のリブでもよいものとする）。
【００２０】
可動保持壁２９は、その基端側が周側壁２１に連成されており、不動壁２８に対して近接方向に撓むような弾性を有している。もう少し具体的に説明すると、不動壁２８は、本形態において二つあり、間隔をあけて並ぶように配置されている（不動壁２８の数は少なくとも一つあればよいものとする）。不動壁２８は、周側壁２１に対して直交するような帯板形状の壁であって、絶縁カバー本体１７の開口縁部から天井壁２０にかけて真っ直ぐ伸びるように形成されている。このような不動壁２８には、導入案内斜面３０が形成されている。その導入案内斜面３０は、絶縁カバー本体１７の開口縁部側となる、後述する環状部３７に対する導入先端に形成されている。導入案内斜面３０は、可動保持壁２９に向けて傾斜するように形成されている。
【００２１】
可動保持壁２９は、一対の保持壁側部３１と、保持壁接触部３２とを有して略コ字状となる形状に形成されている。保持壁側部３１は、不動壁２８の外側に配置されている。保持壁側部３１の基端は、周側壁２１に連成されている。また、保持壁側部３１の中間から後述する環状部３７に対する導入先端までの間は、周側壁２１に対して間隔があくように形成されている。その間隔は、可動保持壁２９を不動壁２８に対して近接方向に撓ませるために必要な部分として形成されている。
【００２２】
保持壁側部３１の上記導入先端には、導入案内斜面３３が形成されている。保持壁側部３１の導入案内斜面３３は、不動壁２８の導入案内斜面３０と同じ方向に傾斜する斜面であって、不動壁２８の導入案内斜面３０の方が傾斜がきつくなり且つ保持壁側部３１の導入案内斜面３３の方が下側に位置するように配置されている。導入案内斜面３０、３３は、二段階に案内をすることができるように配置形成されている（二段階構成にすることにより、可動保持壁２９の撓みを確実に生じさせることが可能になる。仮に不動壁２８が存在せず、保持壁側部３１の導入案内斜面３３の頂部に当接したまま導入案内斜面３３を滑らないような事態が生じると、可動保持壁２９が破損方向に変形してしまう恐れが多分にある）。
【００２３】
弾性保持リブ２７の構成において、バッテリーターミナル１２を絶縁カバー本体１７で覆うと、後述する環状部３７に不動壁２８の導入案内斜面３０が当接する。そして、後述する環状部３７に対して導入案内斜面３０が滑りながら案内され、その後、保持壁側部３１の導入案内斜面３３が同様に滑りながら案内される。この時、可動保持壁２９は徐々に撓み、後述する環状部３７が保持壁側部３１の導入案内斜面３３を通過すると、後述する環状部３７に可動保持壁２９の保持壁接触部３２が接触する。絶縁カバー本体１７は、その内部に後述する環状部３７が恰も差し込まれた状態になる。絶縁カバー本体１７は、弾性保持リブ２７の弾性復元力によって保持される。
【００２４】
上記バッテリーターミナル１２は、バッテリーターミナル本体３４と、締め付け手段としてのボルト３５及びナット３６とを備えて構成されている。バッテリーターミナル本体３４は、図示しないバッテリーのバッテリーポストに巻着する環状部３７と、環状部３７に連続する電線接続部３８とを有している。環状部３７には、バッテリーポスト挿入穴３９が形成されている。バッテリーポスト挿入穴３９は、ボルト３５及びナット３６の螺合が進むことにより縮径するようになっている。ボルト３５及びナット３６は、環状部３７の締め付け部４０に取り付けられている。
【００２５】
尚、バッテリーターミナル１２を絶縁カバー本体１７で覆うと、締め付け部４０に絶縁カバー本体１７の浮き止め係止部２６が引っ掛かるようになっている。また、環状部３７の側部４１には、絶縁カバー本体１７の弾性保持リブ２７が弾性接触するようになっている。
【００２６】
バッテリーターミナル１２の電線接続部３８には、上下に重ね合わせた接続端子１３〜１５が接続されている。上下に重ね合わせた接続端子１３〜１５は、電流センサ１６に挿通した状態で電線接続部３８に接続されている。尚、電流センサ１６は、既知のものでありここでは説明を省略する。
【００２７】
上記接続端子１３〜１５は、導電性を有する金属板を打ち抜き、折り曲げ加工を施すことにより形成されている（図中の端子形状や数は一例であるものとする）。接続端子１３〜１５は、バッテリーターミナル１２の電線接続部３８に接触する電気接触部（符号省略）と、電線の導体を圧着する電線圧着部（符号省略）とを有している。上記電気接触部同士は、接続端子１３〜１５を上下に重ね合わせると接触し合うようになっている。上記電気接触部には、端子固定ボルト４２の直径よりも若干大きい直径を有するボルト挿通孔（符号省略）が貫通形成されている。上記電線圧着部には、加締め片（符号省略）が対になって形成されている。
【００２８】
接続端子１３の電気接触部には、一対の突出片４３が形成されている。その突出片４３は、接続端子１３の両側部に形成されている。もう少し詳しく説明すると、突出片４３は、接続端子１３の両側部に連続する四角い片を下方に折り曲げることにより形成されている。このような突出片４３には、内側に折れ曲がる弾性係止部（符号省略）が形成されている。その弾性係止部は、弾性を有する片持ちの片であって、先端が接続端子１４に引っ掛かるように形成されている。
【００２９】
接続端子１４の電気接触部には、一対の被差込凸部４４と、一対の回り止め片４５とが形成されている。被差込凸部４４及び回り止め片４５は、接続端子１４の両側部に形成されている。より具体的には、接続端子１３の突出片４３の位置に合わせて被差込凸部４４が配置形成されている。また、回り止め片４５は、被差込凸部４４の横に並ぶように配置形成されている。
【００３０】
被差込凸部４４は、接続端子１３の突出片４３の差し込みができるような形状に形成されている。また、被差込凸部４４は、差し込まれた突出片４３の側部が当接可能となるような形状に形成されている。被差込凸部４４は、本形態において、前凸部（符号省略）、後凸部（符号省略）、及びこれらの間の差込空間（符号省略）を有している。前凸部及び後凸部は、接続端子１４の両側部から突出するように形成されている。後凸部の先端には、突出片４３の外面が当接可能となる突出片対向部４６が連成されている。尚、バッテリーターミナル１２を絶縁カバー本体１７で覆うと、突出片対向部４６には、絶縁カバー本体１７の嵌合係止部２５が引っ掛かるようになっている。
【００３１】
回り止め片４５は、接続端子１４の両側部に連続する帯片を下方に折り曲げることにより形成されている。回り止め片４５は、バッテリーターミナル１２の電線接続部３８の側部に対して密着又は僅かな間隙を有して対向するように形成されている。
【００３２】
接続端子１５の電気接触部には、一対の被差込凸部４７が形成されている。被差込凸部４７は、接続端子１５の両側部に形成されている。より具体的には、接続端子１３の突出片４３の位置及び接続端子１４の回り止め片４５の位置に合わせて被差込凸部４７が配置形成されている。
【００３３】
被差込凸部４７は、接続端子１３の突出片４３及び接続端子１４の回り止め片４５の差し込みができるような形状に形成されている。また、被差込凸部４７は、差し込まれた突出片４３の側部及び回り止め片４５の側部が当接可能となるような形状に形成されている。被差込凸部４７は、本形態において、前凸部（符号省略）、後凸部（符号省略）、及びこれらの間の差込空間（符号省略）を有している。
【００３４】
接続端子１３〜１５の各部分の特徴として、突出片４３及び被差込凸部４４、４７は、上下に重ね合わせた接続端子１３〜１５同士の前後方向の位置ズレを規制するために形成されている。また、突出片４３は、上下に重ね合わせた接続端子１３〜１５同士の左右方向の位置ズレを規制するために形成されている。また、突出片４３の弾性係止部は、上下に重ね合わせた接続端子１３、１４同士の分離をし難くするために形成されている。また、突出片対向部４６は、突出片４３の開きを規制するために形成されている。また、回り止め片４５は、上下に重ね合わせた接続端子１４がバッテリーターミナル１２の端子固定ボルト４２を中心にして回ってしまうことのないように規制するために形成されている。
【００３５】
上記構成において、バッテリーターミナル１２を絶縁カバー１１で覆うと、嵌合係止部２５が接続端子１４の突出片対向部４６に係止され、これによって絶縁カバー１１は係止状態になる。この時、浮き止め係止部２６は、環状部３７に対して引っ掛かる。また、弾性保持リブ２７は、バッテリーターミナル１２の環状部３７に対して弾性接触する。本発明によれば、浮き止め係止部２６によって絶縁カバー１１の浮き上がりが防止される。また、本発明によれば、弾性保持リブ２７によって絶縁カバー１１のガタツキが抑えられる。弾性保持リブ２７は、環状部３７に対して弾性接触することから、ある程度の寸法のバラツキを吸収する。
【００３６】
以上、図１ないし図８を参照しながら説明してきたように、本発明によれば、絶縁カバー１１の浮き上がりを防止することができる。また、絶縁カバー１１の浮き上がりを防止することによって、本来の機能を満足するとともに、異音の発生を防止することができる。
【００３７】
その他、本発明は本発明の主旨を変えない範囲で種々変更実施可能なことは勿論である。
【図面の簡単な説明】
【００３８】
【図１】本発明のバッテリーターミナル用絶縁カバーの一実施の形態を示すバッテリーターミナル及び絶縁カバーの斜視図である。
【図２】図１のＣ視方向の斜視図である。
【図３】絶縁カバーの斜視図である。
【図４】図３のＣ視方向の斜視図である。
【図５】図３のＡ−Ａ線断面図である。
【図６】図３のＢ−Ｂ線断面図である。
【図７】上方から見たバッテリーターミナルの斜視図である。
【図８】下方から見たバッテリーターミナルの斜視図である。
【図９】従来例のバッテリーターミナル及び絶縁カバーの斜視図である。
【符号の説明】
【００３９】
１１  バッテリーターミナル用絶縁カバー（絶縁カバー）
１２  バッテリーターミナル
１３〜１５  接続端子
１６  電流センサ
１７  絶縁カバー本体
１８  電線取付部
１９  可撓連結部
２０  天井壁
２１  周側壁（カバー壁）
２２  引き出し口
２３  側壁延長部
２４  位置決め部
２５  嵌合係止部
２６  浮き止め係止部
２７  弾性保持リブ
２８  不動壁
２９  可動保持壁
３０、３３  導入案内斜面
３１  保持壁側部
３２  保持壁接触部
３４  バッテリーターミナル本体
３５  ボルト
３６  ナット
３７  環状部
３８  電線接続部
３９  バッテリーポスト挿入穴
４０  締め付け部
４１  側部
４２  端子固定ボルト
４３  突出片
４４、４７  被差込凸部
４５  回り止め片
４６  突出片対向部
【図１】
2006040797.tif 000003
【図２】
2006040797.tif 000004
【図３】
2006040797.tif 000005
【図４】
2006040797.tif 000006
【図５】
2006040797.tif 000007
【図６】
2006040797.tif 000008
【図７】
2006040797.tif 000009
【図８】
2006040797.tif 000010
【図９】
2006040797.tif 000011